(57)【特許請求の範囲】
【請求項１】
容器口頸部に装着される蓋本体、開閉自在な外蓋及び可撓性吸引管を具備し、
該蓋本体は容器口頸部の頂面を覆う主壁を有し、該外蓋は該主壁を覆う閉位置と該主壁を少なくとも部分的に露呈せしめる開位置とに選択的に位置せしめられ、
該蓋本体の該主壁には貫通孔が形成されており、該吸引管は該貫通孔から延在せしめられており、
該蓋本体の該主壁には、その上面から上方に突出する突出壁が形成されており、
該外蓋は天面壁及び該天面壁の内面から垂下する垂下壁を有し、
該外蓋が該閉位置に位置せしめられると、該外蓋の該垂下壁は該蓋本体の該貫通孔と該突出壁との間に位置せしめられ、該吸引管は、最初に該垂下壁の作用によって下方に折り曲げられ、次いで該垂下壁と該突出壁との協働によって上方に折り曲げられて該垂下壁と該突出壁との間を通って上方に延び、しかる後に該突出壁と該外蓋との協働によって再び下方に折り曲げられ、そしてまた、該吸引管の、該垂下壁と該突出壁との間を延びる部分は、該垂下壁と該突出壁との間で押潰され、
該外蓋が該開位置にせしめられると、該外蓋の該垂下壁は該貫通孔と該突出壁との間から後退し、該吸引管は該突出壁の上端を越えて上方に延出する、
ことを特徴とする容器蓋。
【請求項２】
該外蓋が該閉位置に位置せしめられると、該吸引管は少なくとも２個の折り曲げ部において、折り曲げに起因して吸引管内の流路が閉塞される、請求項１記載の容器蓋。
【請求項３】
該外蓋は該天面壁の周縁から垂下する筒状側壁を有し、該筒状側壁の下端縁の所定部分が該蓋本体に対して旋回自在に接続されており、該下端縁の該所定部分を旋回中心として旋回せしめることによって該閉位置と該開位置とに選択的に位置せしめられ、該外蓋が該閉位置から３５乃至６０度である角度αだけ旋回せしめられることによって該開位置に位置せしめられ、該外蓋が該開位置まで旋回せしめられると該外蓋が更に旋回せしめられるのを阻止する開位置規制手段が配設されており、該外蓋が該開位置に位置せしめられると、該吸引管の少なくとも先端部は、該外蓋の下縁に沿って延在して水平に対して該角度αをなして延出する、請求項１又は２記載の容器蓋。
【請求項４】
該蓋本体の該主壁には、その周縁部から上方に突出する係止壁が形成されており、該外蓋が該閉位置に位置せしめられると、該外蓋の該側壁の下端部内周面が該蓋本体の該係止壁の上端部外周面に係止せしめられ、該蓋本体の該係止壁には、該外蓋が該開位置から該閉位置に旋回せしめられる際に、該吸引管の先端部が該係止壁の外側から内側に向けて移動せしめられる切欠が形成されている、請求項３記載の容器蓋。
【請求項５】
該蓋本体には、該係止壁の該切欠を塞ぐ作用位置と該切欠を解放する非作用位置との間を移動自在な閉塞片が付設されている、請求項４記載の容器蓋。
【発明の詳細な説明】
【０００１】
【発明の属する技術分野】
本発明は、容器の内容物を吸引するために口に銜えることができる可撓性吸引管を備えた容器蓋に関する。
【０００２】
【従来の技術】
飲料用容器のための容器蓋として、実公平１−２７６９９号公報、実公平２−１６６６４号公報及び実公平３−３００１２号公報には、容器の内容物を吸引するために口に銜えることができる可撓性吸引管を備えた形態の容器蓋が開示されている。かような容器蓋は、容器口頸部に装着される蓋本体と開閉自在な外蓋とを含んでいる。蓋本体は容器口頸部の頂面を覆う主壁を有し、この主壁には貫通孔が形成されており、上記吸引管は貫通孔から延在せしめられている。蓋本体の主壁にはその上面から上方に突出する突出壁が形成され、或いは外蓋には垂下壁が形成されている。外蓋が蓋本体の主壁を覆う閉位置にせしめられると、突出壁或いは垂下壁の作用等によって吸引管が折り曲げられ、外蓋に覆われる。外蓋が蓋本体の主壁を露呈せしめる開位置に位置せしめられると、吸引管に対する突出壁或いは垂下壁の作用が解除されて吸引管の折り曲げが解消され、吸引管は所要方向に延出する。使用者は吸引管の先端部を口に銜えて吸引することによって容器内容物を摂取することができる。かような容器蓋を具備した容器は、例えばベッドに寝たままの病人が飲料を摂取する場合、マラソン選手が走りながら飲料を摂取する場合、自転車又は自動車を運転中の人が飲料を摂取する場合等に特に好都合に使用される。
【０００３】
【発明が解決しようとする課題】
而して、可撓性吸引管を備えた従来の容器蓋には、次のとおりの解決すべき問題が存在する。第一に、吸引管の延在長さが比較的短く、それ故に使用者が吸引管の先端部を銜えることが必ずしも容易でない。吸引管の延在長さを長くすると、外蓋を閉位置に位置せしめんとしても吸引管が外蓋内に収容されず、外蓋を閉位置に位置せしめることが不可能になってしまう。
第二に、外蓋を閉位置に位置せしめた時には吸引管が折り曲げられるが、吸引管のかかる折り曲げに起因して吸引管内の流路を閉塞し、かかる閉塞によって所謂シールを確立し、容器内容物の漏出を防止せんとしている。しかしながら、シールは単一の折り曲げ部に限られている故に、必ずしも充分ではなく、特に落下等によって強い衝撃が加えられた場合には内容物の漏出が発生する虞がある。
【０００４】
本発明は上記事実に鑑みてなされたものであり、その主たる技術的課題は、従来の容器蓋に存在する上記第一及び第二の問題の双方を解決した新規且つ改良された容器蓋、即ち外蓋を閉位置に位置せしめた時には充分容易に外蓋内に吸引管を収納することができるにもかかわらず、外蓋を開位置に位置せしめた場合には吸引管が充分な長さに渡って延在せしめられ、そしてまた外蓋が閉位置に位置せしめられた時には吸引管の流路が充分確実に閉塞され、比較的大きな衝撃が加えられても内容物が漏出する虞がない新規且つ改良された容器蓋を提供することである。
【０００５】
【課題を解決するための手段】
本発明者等は鋭意検討の結果、外蓋を閉位置に位置せしめると吸引管が少なくとも３箇所で折り曲げられるように構成することによって、上記主たる技術的課題を解決することができることを見出した。
【０００６】
即ち本発明によれば、上記主たる技術的課題を達成する容器蓋として、容器口頸部に装着される蓋本体、開閉自在な外蓋及び可撓性吸引管を具備し、
該蓋本体は容器口頸部の頂面を覆う主壁を有し、該外蓋は該主壁を覆う閉位置と該主壁を少なくとも部分的に露呈せしめる開位置とに選択的に位置せしめられ、
該蓋本体の該主壁には貫通孔が形成されており、該吸引管は該貫通孔から延在せしめられており、
該蓋本体の該主壁には、その上面から上方に突出する突出壁が形成されており、
該外蓋は天面壁及び該天面壁の内面から垂下する垂下壁を有し、
該外蓋が該閉位置に位置せしめられると、該外蓋の該垂下壁は該蓋本体の該貫通孔と該突出壁との間に位置せしめられ、該吸引管は、最初に該垂下壁の作用によって下方に折り曲げられ、次いで該垂下壁と該突出壁との協働によって上方に折り曲げられて該垂下壁と該突出壁との間を通って上方に延び、しかる後に該突出壁と該外蓋との協働によって再び下方に折り曲げられ、そしてまた、該吸引管の、該垂下壁と該突出壁との間を延びる部分は、該垂下壁と該突出壁との間で押潰され、
該外蓋が該開位置にせしめられると、該外蓋の該垂下壁は該貫通孔と該突出壁との間から後退し、該吸引管は該突出壁の上端を越えて上方に延出する、
ことを特徴とする容器蓋が提供される。
【０００７】
該外蓋が該閉位置に位置せしめられると、該吸引管は少なくとも２個の折り曲げ部において、折り曲げに起因して吸引管内の流路が閉塞される好適である。好適には、該外蓋は該天面壁の周縁から垂下する筒状側壁を有し、該筒状側壁の下端縁の所定部分が該蓋本体に対して旋回自在に接続されており、該下端縁の該所定部分を旋回中心として旋回せしめることによって該閉位置と該開位置とに選択的に位置せしめられ、該外蓋が該閉位置から３５乃至６０度である角度αだけ旋回せしめられることによって該開位置に位置せしめられ、該外蓋が該開位置まで旋回せしめられると該外蓋が更に旋回せしめられるのを阻止する開位置規制手段が配設されており、該外蓋が該開位置に位置せしめられると、該吸引管の少なくとも先端部は、該外蓋の下縁に沿って延在して水平に対して該角度αをなして延出する。該蓋本体の該主壁には、その周縁部から上方に突出する係止壁が形成されており、該外蓋が該閉位置に位置せしめられると、該外蓋の該側壁の下端部内周面が該蓋本体の該係止壁の上端部外周面に係止せしめられ、該蓋本体の該係止壁には、該外蓋が該開位置から該閉位置に旋回せしめられる際に、該吸引管の先端部が該係止壁の外側から内側に向けて移動せしめられる切欠が形成されているのが好ましい。この場合、該蓋本体には、該係止壁の該切欠を塞ぐ作用位置と該切欠を解放する非作用位置との間を移動自在な閉塞片が付設されているのが好適である。
【０００８】
【発明の実施の形態】
以下、本発明の好適実施形態を図示している添付図面を参照して、更に詳細に説明する。
【０００９】
本発明に従って構成された容器蓋の好適実施形態を図示している図１乃至図４、特に図１を参照して説明すると、全体を番号２で示す図示の容器蓋は、蓋本体４、外蓋６及び吸引管８から構成されている。蓋本体４と外蓋６とは、ポリプロピレン又はポリエチレンの如き適宜の合成樹脂から、図１乃至図４に図示するとおりの形態に射出又は圧縮の如き適宜の成形様式によって成形することができる。一方、細長く延在する管形状である吸引管８は、充分な可撓性及び復元性、そしてまた適宜の滑り性を有する材料、例えばシリコーンゴム又はウレタンゴムの如き合成ゴムから形成されている。
【００１０】
図１乃至図４を参照して説明を続けると、図示の実施形態における蓋本体４は、実質上水平に延在する円形状の主壁１０と、この主壁１０の周縁に接続されている円筒形状の側壁１２とを含んでいる。側壁１２は、主壁１０の周縁から下方に垂下するスカート壁１４と共に、主壁１０の周縁から上方に延びる直立壁１６を有する。かかる側壁１２の外周面には、その両側部（図２において左側部及び右側部）を除いて、上下方向に延びる凹凸１８が形成されている。直立壁１６には、その特定角度部位の上半部に位置する略半円形状の切欠２０が形成されている。スカート壁１４には周方向に延びる破断可能ライン２２が形成されており、スカート壁１４は破断可能ライン２２よりも上方の主部２４と破断可能ライン２２よりも下方のタンパーエビデント裾部２６とに区画されている。破断可能ライン２２は、若干の間隔をおいて周方向に延びる複数個のスリット（切溝）とかかるスリット間に位置する複数個の橋絡部とを含む周知の形態でよい。スカート壁１４における主部２４の内周面には雌螺条２８が形成されている。タンパーエビデント裾部２６の内周面には複数個の係止手段３０が形成されている。係止手段３０の各々は、周方向に間隔をおいて配置され半径方向内方に向かって上方に傾斜して延びる突出片から構成することができる。
【００１１】
蓋本体４の上記主壁１０上には、その周縁部から上方に延びる略円筒形状の係止壁３２が形成されている。図１乃至図３から理解される如く、係止壁３２の特定角度部位には、その上端縁から下端まで延びる切欠３４が形成されている。この切欠３４の角度位置は上記直立壁１６に形成されている切欠２０の角度位置と整合せしめられている。切欠３４に対応せしめて、係止壁３２には切欠３４の下端縁から図１及び図２において左方に延出する閉塞片３６が形成されている。この閉塞片３６は薄肉ヒンジ片３７を介して係止壁３０の下端縁に接続されており、その上面乃至内面には矩形状の係止突出部３８が形成されている。係止突出部３８の周方向幅は切欠３４の周方向幅と実質上同一であり、係止突出部３８の長さは切欠３４の長さより幾分短い。上記係止壁３２の外周面上端部には、半径方向外方に膨出せしめられた係止突条４０が形成されている。
【００１２】
蓋本体４の上記主壁１０の所定位置には貫通孔４２が形成されており、そして主壁１０上にはかかる貫通孔４２の周縁から実質上鉛直に上方に突出する突出円筒４４が形成されている。また、主壁１０には、上記貫通孔４２及び突出円筒４４から所定距離だけ離間せしめた位置から上方に突出する突出壁４６も形成されている。図１及び図３を参照することによって理解される如く、突出壁４６の上端部の両側には拘束突条４８が形成されている。かかる拘束突条４８間の間隙は上記吸引管８の直径よりも幾分大きく設定されている。蓋本体４の主壁１０上には、更に、上記貫通孔４２の両側に位置する一対の当接片５０も形成されている。かかる当接片５０は主壁１０から上方に延びており、横断面形状は略Ｌ時形状である。当接片５０の後面、即ち図１及び図２において右側面の上端部は上方に向かって漸次前方に傾斜する傾斜面であり、前面、即ち図１及び図２において左側面は実質上鉛直に延びる切り立った面である。主壁１０の下面には、下方に垂下する薄肉円筒状でよい突起５２が形成されている。主壁１０の下面には、更に、突起５２の内側に位置する２条の環状突条５３が形成されている。
【００１３】
図１乃至図４を参照して説明を続けると、外蓋６は天面壁５４、この天面壁５４の周縁から垂下する（図１乃至図４に図示する状態においては上方に延びる）円筒状壁５６、及び天面壁５４の内面（図１乃至図４に図示する状態においては上面）から垂下する（図１乃至図４に図示する状態においては上方に延びる）垂下壁５８を含んでいる。かかる外蓋６は、その円筒状側壁５６の自由端縁（図１乃至図４に図示する状態においては上端縁）と上記蓋本体４の側壁１２における直立壁１６の自由端縁即ち上端縁との間に配設された薄肉ヒンジ片６０によって、蓋本体４に一体に接続されている。図１と共に図４を参照することによって理解される如く、垂下壁５８は天面壁５４に対して実質上垂直に延在せしめられている。この垂下壁５８の先端（図１及び図４に図示する状態においては上端）両側には一対の当接片６２が形成されている。当接片６２の各々の片面（図１において左側面）には略２等辺三角形状を規定する２個の傾斜面６４及び６６が形成されており、他面（図１において右側面）は平坦面である。後の説明から明らかになる如く、一対の当接片６２は蓋本体４に形成されている上記一対の当接片５０と協働して、蓋本体４に対する外蓋６の開動を所定位置に規制する開位置規制手段を構成する。側壁５６の内周面の自由端部（図１乃至図４においては上端部）には、円弧状に延びる突条６８が形成されている。
【００１４】
図示の実施形態においては、図１に二点鎖線で図示する如く、蓋本体４の突出円筒４４に吸引管８の一端部を被嵌し、かくして貫通孔４２から吸引管８が延在する状態が確立される。図１と共に図５及び図６を参照して説明を続けると、図示の実施形態においては、容器蓋２を容器に適用する前に、更に、蓋本体４に中栓７０が組み合わせられる。この中栓７０は、円形底壁７２とこの底壁７２の周縁から上方に延びる円筒状側壁７４とを含んでいる。底壁７２の上面には引張リング７６が形成されている。側壁７４の外周面上端部には、半径方向外方に突出する薄肉フランジ７８が形成されている。かような中栓７０は、その薄肉フランジ７８を蓋本体４における主壁１０の下面に形成されている上記突起５２の内周面に弾性的に係止せしめることによって、比較的弱く、換言すれば小さな力で容易に離脱され得るように、蓋本体２に保持される。
【００１５】
中栓７０を蓋本体４に組み合わせた後に或いはその前に、薄肉ヒンジ片５８によって蓋本体４に接続されている外蓋６は、薄肉ヒンジ片５８を中心として、図１乃至図４に図示する成形位置から図５及び図６に図示する閉位置に旋回閉動せしめられる。かかる閉動の際には、図１、図６及び図８を比較参照することによって理解される如く、外蓋６に形成されている一対の当接片６２の傾斜面６４が蓋本体４に形成されている一対の当接片５０の傾斜面に干渉し、当接片６２及び／又は５０が弾性変形せしめられ、当接片６２が当接片５０を通過する。外蓋６が図５及び図６に図示する閉位置まで閉動せしめられると、外蓋６の円筒状壁５６の内周面に形成されている突条６８が蓋本体４の係止壁３２の外周面に形成されている係止突条４０に弾性的に係止せしめられ、これによって外蓋６が図５及び図６に図示する閉位置に保持される。
【００１６】
図１、図６及び図８を比較参照することによって理解される如く、外蓋６が閉位置まで旋回閉動せしめられると、外蓋６の垂下壁５８が蓋本体４の主壁１０に形成されている貫通孔４２及び突出円筒４４と突出壁４６との間に位置せしめられる。そして、この際には、先ず最初に外蓋６の垂下壁５８が可撓性吸引管８に作用することによって吸引管８が下方に折り曲げられ、次いで外蓋６の垂下壁５８と蓋本体４の突出壁４６との協働によって上方に折り曲げられ、更に、蓋本体４の突出壁４６と外蓋６の円筒状壁５６との協働によって再び下方に折り曲げられて、蓋本体４の主壁１０と外蓋６との間に収納される。吸引管８が突出壁４６の上端部に沿って湾曲せしめられる際には、吸引管８は突出壁４６の拘束突条４８間を通って延び、これによって横方向に変位することが防止される。図示の実施形態においては、上述のとおりにして吸引管８が３回に渡って折り曲げられ、それ故に吸引管８を比較的長くせしめても、充分確実に蓋本体４と外蓋６との間に収納することができる。加えて、図６に番号８０、８２及び８４で示す如く、３回の折り曲げの各々において折り曲げに起因して吸引管８が閉塞される。また、垂下壁５８と突出壁４６との協働によって上方に折り曲げられて突出壁４６に沿って延びる吸引管８は、突出壁４６に沿って上方に延びる際には、図６に番号８６で示す如く、垂下壁５８と突出壁４６との間で押潰される。かくして、後に更に言及する如く、外蓋６が閉位置に位置せしめられると、吸引管８を通しての内容物の排出が充分確実に密封される。図示の実施形態においては、更に、蓋本体４に配設されている閉塞片３６が、薄肉ヒンジ片３７を旋回中心として図１乃至４に図示する非作用位置から図５及び図６に図示する作用位置に旋回せしめられ、閉塞片３６の係止突出部３８が切欠３４内に強制的に進入せしめられそこに弾性的に保持される。かくして、開放されていた切欠３４が閉塞片３６によって塞がれ、吸引管８の全体が覆い隠される。
【００１７】
図５及び図６を参照して説明を続けると、中栓７０が組み合わされ、外蓋６が閉位置に位置せしめられ、閉塞片３６が作用位置にせしめられた容器蓋２は、ポリエチレンテレフタレートの如き適宜の合成樹脂から形成することができる容器８８の口頸部９０に装着される。容器８８の口頸部９０は略円筒形状であり、その外周面には雄螺条９２とその下方に位置する係止あご部９４が形成されている。容器蓋２はその蓋本体４を口頸部９０に被嵌し、閉方向即ち図６において上方から見て時計方向に回転せしめることによって、口頸部９０に装着される。蓋本体４のスカート壁１４における主部２４の内周面に形成されている雌螺条２８が口頸部９０の雄螺条９２に螺合せしめられ、タンパーエビデント裾部２６に形成されている係止手段３０が弾性的に変形せしめられて係止あご部９４を通過し、その下方に係止せしめられる。蓋本体４に組み合わされた中栓７０は、その薄肉フランジ７８が口頸部９０の上端に密接せしめられ、その側壁７４の外周面が口頸部９０の内周面に密接せしめられる。
【００１８】
例えば液体飲料である容器８８の内容物を飲む際には、蓋本体４の側壁１２に指を掛けて容器蓋４を開方向即ち図６において上方から見て反時計方向に回転せしめる。かくすると、蓋本体４の雌螺条２８が口頸部９０の雄螺条９２に沿って移動せしめられる故に、タンパーエビデント裾部２６を除いて蓋本体２、外蓋６及び吸引管８は回転と共に上昇せしめられる。一方、蓋本体４のタンパーエビデント裾部２６は係止手段３０が口頸部９０の係止あご部９４に係止されている故に上方に移動することが阻止され、かくしてスカート壁１４に形成されている破断可能ライン２２は破断されて、タンパーエビデント裾部２６がスカート壁１４の主部２４から分離される。破断可能ライン２２のかかる破断によって、容器蓋２が操作されたことが明示され、所謂タンパーエビデント特性が補償される。タンパーエビデント裾部２６を残留せしめて、蓋本体４のその他の部分、外蓋６及び吸引管８は口頸部９０から離脱される。一方、中栓７０は上述した如く小さな力で容易に離脱され得るように蓋本体４に組み合わされているので、蓋本体４から離脱せしめられて口頸部９０に残留せしめられる。しかる後に、引張リング７６に指を掛けて中栓７０を口頸部９０から離脱せしめて口頸部９０を開封する。次いで、中栓７０が離脱された口頸部９０に容器蓋２を再び装着、即ち蓋本体４を口頸部９０に被嵌して閉方向に回転せしめ、蓋本体４のスカート壁１４に形成されている雌螺条２８を口頸部９０の雄螺条９２に螺合せしめる。かくすると、図８に図示する如く、蓋本体４の主壁１０の下面に形成されている突条５３が容器８８の口頸部９０の上端面に当接せしめられ、これによって口頸部９０が密封される。しかる後に、薄肉ヒンジ片６０を旋回中心として外蓋６を旋回開動せしめる。外蓋６が図７及び図８に図示する開位置まで３５乃至６０度程度でよい角度αだけ旋回開動せしめられると、図８に明確に図示する如く、外蓋６に形成されている一対の当接片６２の傾斜面６６が蓋本体４に形成されている一対の当接片５０の切り立った前面に当接せしめられ、これによって外蓋６が図７及び図８に図示する開位置を越えて更に旋回開動されることが阻止される。
【００１９】
而して、外蓋６が図７及び図８に図示する開位置まで旋回開動せしめられると、図６と図８とを比較参照することによって理解される如く、蓋本体４の突出壁４６と外蓋６の垂下片５８とによる吸引管８に対する折り曲げ作用及び押潰作用が解除され、図７及び図８に図示する如く、吸引管８はそれ自身の弾性復元力によってその主要部が外蓋６の円筒状壁５６の自由端縁に沿って延びる状態になる。吸引管８のかような弾性復元作用の際には、吸引管８が閉塞片３６に作用してこれを図５及び図６に図示する作用位置から図７及び図８に図示する非作用位置に移動せしめる。吸引管８の弾性復元作用が比較的緩やかで閉塞片３６を作用位置から非作用位置に移動せしめるのに充分でない場合には、閉塞片３６に指を掛けて非作用位置に移動せしめればよい。吸引管８が図７及び図８に図示する状態にせしめられると、折り曲げによる閉塞及び押潰による閉塞が解除される。従って、吸引管８の先端部を口に銜えて吸引することにより、容器８８に収容されている飲料を飲むことができる。吸引管８は充分に長く延在せしめられ、それ故に充分容易にその先端部を銜えることができる。必要に応じて、容器８８の主部を幾分押潰して容器８８からの飲料の排出を促進することもできる。所要量の飲料を飲んだ後においては、外蓋６を図５及び図６に図示する閉位置に旋回閉動せしめる。そしてまた、必要に応じて閉塞片３６を作用位置に戻す。かくすると、上述した如く、吸引管８が３回に渡って折り曲げられ、かかる折り曲げに起因して閉塞される。図示の実施形態においては、図６に番号８０、８２及び８４で示す如く、３回の折り曲げの各々に起因して閉塞される。また、垂下壁５８と突出壁４６との協働によって上方に折り曲げられて突出壁４６に沿って延びる吸引管８は、突出壁４６に沿って上方に延びる際には、図６に番号８６で示す如く、垂下壁５８と突出壁４６との間で押潰される、かくして、外蓋６が閉位置に位置せしめられると、吸引管８を通しての内容物の排出が充分確実に密封され、衝撃等が作用しても充分な密封が維持される。更に、蓋本体４に配設されている閉塞片３６が、薄肉ヒンジ片３７を図５及び図６に図示する作用位置に旋回せしめると、開放されていた切欠３４が閉塞片３６によって塞がれ、吸引管８の全体が覆い隠される。
【００２０】
【発明の効果】
本発明の容器蓋においては、外蓋を閉位置に位置せしめた時には充分容易に外蓋内に吸引管を収納することができるにもかかわらず、外蓋を開位置に位置せしめた場合には吸引管が充分な長さに渡って延在せしめられる。外蓋が閉位置に位置せしめられた時には吸引管の流路が充分確実に閉塞され、比較的大きな衝撃が加えられても内容物が漏出する虞がない。
【図面の簡単な説明】
【図１】本発明に従って構成された容器蓋の好適実施形態における蓋本体、外蓋及び吸引管を夫々成形時の形態で示す断面図。
【図２】図１に示す容器蓋における蓋本体及び外蓋を示す正面図。
【図３】図１に示す容器蓋における蓋本体及び外蓋を示す側面図。
【図４】図１に示す容器蓋における蓋本体及び外蓋を示す平面図。
【図５】図１に示す容器蓋に中栓を組み合わせ、容器の口頸部に装着した状態を示す斜面図。
【図６】図５に示す状態の断面図。
【図７】図５及び図６に示す状態から、蓋本体のタンパーエビデント裾部を残留せしめて蓋本体、外蓋及び吸引管を容器の口頸部から離脱せしめ、次いで中栓を容器の口頸部から離脱せしめ、しかる後に蓋本体、外蓋及び吸引管を再び容器の口頸部に装着し、次いで外蓋を開位置に旋回開動した状態を示す斜面図。
【図８】図７に示す状態の断面図。
【符号の説明】
２：容器蓋
４：蓋本体
６：外蓋
８：吸引管
１０：蓋本体の主壁
１４：蓋本体のスカート壁
２２：蓋本体の破断可能ライン
２４：蓋本体のスカート壁の主部
２６：蓋本体のタンパーエビデント裾部
２８：蓋本体の雌螺条
３０：蓋本体の係止手段
３２：蓋本体の係止壁
３４：蓋本体の切欠
３６：蓋本体の閉塞片
４２：蓋本体の貫通孔
４４：蓋本体の突出円筒
４６：蓋本体の突出壁
５０：蓋本体の当接片
５４：外蓋の天面壁
５６：外蓋の円筒状壁
５８：外蓋の垂下壁
６０：蓋本体と外蓋との間の薄肉ヒンジ片
６２：外蓋の当接片
７０：中栓
８８：容器
９０：容器の口頸部
９２：口頸部の雄螺条
９４：口頸部の係止あご部
【図１】
0004447709.tif 000002
【図２】
0004447709.tif 000003
【図３】
0004447709.tif 000004
【図４】
0004447709.tif 000005
【図５】
0004447709.tif 000006
【図６】
0004447709.tif 000007
【図７】
0004447709.tif 000008
【図８】
0004447709.tif 000009